(57)【要約】【課題】火災発生時に高温状態となった場合に初期段階においても火炎が貫通する事態を防止する。【解決手段】左右の縦框２４，２５の下端部間に下框２３を備えるとともに、樹脂製のキャップ部材４０を縦框２４，２５の下端に装着した障子２０を開口枠１０に対して開閉可能に支持させ、かつ障子２０と開口枠１０の下枠１２との間には、高温状態となった場合に膨張して互いの間の隙間を埋める加熱膨張材を配設した建具であって、下框２３と下枠１２との間においては、下框２３の全長にわたって加熱膨張材２７，２８を配設し、かつ縦框２５と下枠１２との間においては、下枠１２の上面であって縦框２５の下端面を覆う部位に加熱膨張材５０を配設した。【選択図】図２
2016108835.tif 000002
【特許請求の範囲】
【請求項１】
左右の縦框の下端部間に下框を備えるとともに、樹脂製のキャップ部材を前記縦框の下端に装着した障子を開口枠に対して開閉可能に支持させ、かつ前記障子と前記開口枠の下枠との間には、高温状態となった場合に膨張して互いの間の隙間を埋める加熱膨張材を配設した建具であって、
前記下框と前記下枠との間においては、前記下框の全長にわたって前記加熱膨張材を配設し、かつ前記縦框と前記下枠との間においては、前記下枠の上面であって前記縦框の下端面を覆う部位に前記加熱膨張材を配設したことを特徴とする建具。
【請求項２】
前記下枠の上面に配設した加熱膨張材は、一方の端部が前記縦框の見込み面を超えて前記開口枠の縦枠に近接する方向に延在する長さを有したことを特徴とする請求項１に記載の建具。
【請求項３】
前記障子は、前記下框の下面に溝を有したものであり、前記下框の加熱膨張材を前記溝の見付け面に配設したことを特徴とする請求項１に記載の建具。
【請求項４】
前記障子は、前記下框の下面に前記下枠に対向する見込み面を有したものであり、前記下框の加熱膨張材を前記見込み面に配設したことを特徴とする請求項１に記載の建具。
【請求項５】
前記縦框は、金属框部分と樹脂框部分とを見込み方向に沿って並設することにより構成したものであり、前記下枠の加熱膨張材は、前記金属框部分に向けて膨張する位置に配設したことを特徴とする請求項１に記載の建具。
【発明の詳細な説明】
【技術分野】
【０００１】
本発明は、建具に関するもので、特に建具の防火対策に関するものである。
【背景技術】
【０００２】
引き違い窓等のように、開口枠に対して障子等の障子が開閉可能に支持された建具では、火災発生時に高温状態となった場合にも火炎の貫通口が形成されないよう防火対策が施されているものがある。例えば、障子の下框に対してほぼ全長にわたる部位に加熱膨張材を設けるようにした建具によれば、火災発生時に高温状態となった場合、下框の加熱膨張材が膨張し、下枠との隙間に充填される。このため、下枠に対して障子が変形する事態が抑えられ、障子の変形に起因して火炎の貫通口が形成される事態を防止することが可能となる。
【０００３】
ここで、ドアや障子等の障子には、戸先となる縦框（以下、戸先框という）の下端部に樹脂によって成形したキャップ部材が装着されている場合が多い。ドアや開き窓に装着されるキャップ部材は、戸先框の小口端面を覆うことにより、戸先框の下端部に履き物の先端部やズボンの裾が接触した場合に履き物やズボンが損傷するのを防止している。引き違い窓やスライド窓に装着されるキャップ部材は、下枠に設けられたレールに対して摺動することにより、障子のスライドを滑らかに行うようにしている。
【０００４】
この種の建具においては、下框の加熱膨張材を戸先框まで連続して設けることが困難であり、戸先框と下枠との間に加熱膨張材を充填することができない。このため従来では、戸先框とキャップ部材との間に加熱膨張材を配設し、この加熱膨張材を戸先框の下枠との間に充填させることで下枠に対する障子の変形を抑えようとするものが提供されている（例えば、特許文献１参照）。
【先行技術文献】
【特許文献】
【０００５】
【特許文献１】特開２０１３−１１３０６５号公報
【発明の概要】
【発明が解決しようとする課題】
【０００６】
しかしながら、キャップ部材に配設された加熱膨張材は、キャップ部材が断熱材として機能するおそれがあり、膨張して下枠との隙間を塞ぐまでの時間が遅延する場合が起こり得る。このため、初期の段階においては、下枠に対する障子の変形を抑えることが困難となり、障子の変形に起因して火炎が貫通するおそれがある。
【０００７】
本発明は、上記実情に鑑みて、火災発生時に高温状態となった場合に初期段階においても火炎が貫通する事態を防止することのできる建具を提供することを目的とする。
【課題を解決するための手段】
【０００８】
上記目的を達成するため、本発明に係る建具は、左右の縦框の下端部間に下框を備えるとともに、樹脂製のキャップ部材を前記縦框の下端に装着した障子を開口枠に対して開閉可能に支持させ、かつ前記障子と前記開口枠の下枠との間には、高温状態となった場合に膨張して互いの間の隙間を埋める加熱膨張材を配設した建具であって、前記下框と前記下枠との間においては、前記下框の全長にわたって前記加熱膨張材を配設し、かつ前記縦框と前記下枠との間においては、前記下枠の上面であって前記縦框の下端面を覆う部位に前記加熱膨張材を配設したことを特徴とする。
【０００９】
この発明によれば、火災発生時に高温状態となった場合、下框と下枠との間においては下框に配設した加熱膨張材が膨張することによって互いの間の隙間が埋められ、縦框と下枠との間においては下枠の上面に配設した加熱膨張材が膨張することによって互いの間の隙間が埋められることになる。
【００１０】
また本発明は、上述した建具において、前記下枠の上面に配設した加熱膨張材は、一方の端部が前記縦框の見込み面を超えて前記開口枠の縦枠に近接する方向に延在する長さを有したことを特徴とする。
【００１１】
この発明によれば、下枠の上面に配設した加熱膨張材により、縦框の下端部と縦枠との間の隙間を埋めることが可能となる。
【００１２】
また、本発明は、上述した建具において、前記障子は、前記下框の下面に溝を有したものであり、前記下框の加熱膨張材を前記溝の見付け面に配設したことを特徴とする。
【００１３】
この発明によれば、引き違い窓や片引き窓等のように障子をスライドさせるものにおいても下枠と下框との隙間を埋めることが可能となる。
【００１４】
また、本発明は、上述した建具において、前記障子は、前記下框の下面に前記下枠に対向する見込み面を有したものであり、前記下框の加熱膨張材を前記見込み面に配設したことを特徴とする。
【００１５】
この発明によれば、ドアや開き窓等のように障子を面外方向に移動させるようにしたものにおいても下枠と下框との隙間を埋めることが可能となる。
【００１６】
また、本発明は、上述した建具において、前記縦框は、金属框部分と樹脂框部分とを見込み方向に沿って並設することにより構成したものであり、前記下枠の加熱膨張材は、前記金属框部分に向けて膨張する位置に配設したことを特徴とする。
【００１７】
この発明によれば、下枠の加熱膨張材が縦框において金属框部分との隙間を埋めるため、下枠と縦框との隙間がより確実に埋められることになる。
【発明の効果】
【００１８】
本発明によれば、火災発生時に高温状態となった場合、下框と下枠との間においては下框に配設した加熱膨張材が膨張することによって互いの間の隙間が埋められ、縦框と下枠との間においては下枠の上面に配設した加熱膨張材が膨張することによって互いの間の隙間が埋められることになる。従って、縦框の下端部にキャップ部材が装着されている状態であっても、高温状態となった場合に下枠に対する障子の変形を抑えることが可能となり、初期段階においても火炎が貫通する事態を防止することができるようになる。
【図面の簡単な説明】
【００１９】
【図１】図１は、本発明の実施の形態１である建具を室外側から見た図である。
【図２】図２は、図１に示した建具の縦断面図である。
【図３】図３は、図１に示した建具の横断面図である。
【図４−１】図４−１は、図１に示した建具の障子を下方から見た要部斜視図である。
【図４−２】図４−２は、図４−１において縦框からキャップ部材を取り外した状態の要部斜視図である。
【図５】図５は、図１に示した建具の要部を室外側から見た斜視図である。
【図６】図６は、図５において障子を開けた状態の斜視図である。
【図７】図７は、本発明の実施の形態２である建具の縦断面図である。
【図８】図８は、図７に示した建具の横断面図である。
【発明を実施するための形態】
【００２０】
以下、添付図面を参照しながら本発明に係る建具の好適な実施の形態について詳細に説明する。
【００２１】
（実施の形態１）
図１〜図３は、本発明の実施の形態１である建具を示したものである。ここで例示する建具は、開口枠１０に対して２枚の障子２０，３０をそれぞれ左右方向に沿ってスライド可能となるように支持させた引き違い窓と称されるものである。
【００２２】
開口枠１０は、上枠１１、下枠１２及び左右の縦枠１３，１４を四周枠組みすることにより構成してある。上枠１１、下枠１２及び縦枠１３，１４は、それぞれアルミニウムやアルミニウム合金によって成形した押し出し形材からなる金属枠部分１１Ａ，１２Ａ，１３Ａ，１４Ａと、樹脂によって成形した押し出し形材からなる樹脂枠部分１１Ｂ，１２Ｂ，１３Ｂ，１４Ｂとを有して構成したものである。金属枠部分１１Ａ，１２Ａ，１３Ａ，１４Ａ及び樹脂枠部分１１Ｂ，１２Ｂ，１３Ｂ，１４Ｂは、見込み方向に並設し、かつ金属枠部分１１Ａ，１２Ａ，１３Ａ，１４Ａを室外側に配置した状態で躯体Ｂに取り付けてある。
【００２３】
図２に示すように、上枠１１及び下枠１２には、互いに対向する見込み面に２本ずつレール部１１ａ，１２ａが設けてある。レール部１１ａ，１２ａは、個々の枠１１，１２の見込み面から突出し、突出端部がわずかに幅広く形成されたヒレ状部分であり、枠１１，１２の長手方向に沿い、かつ互いに平行となる状態で金属枠部分１１Ａ，１２Ａと一体に成形してある。上枠１１に設けたレール部（以下、「上方レール部１１ａ」という）と下枠１２に設けたレール部（以下、「下方レール部１２ａ」という）とは、互いに対応する位置となるように形成してある。
【００２４】
２枚の障子２０，３０は、いずれも矩形状を成すガラス２１，３１の四周に上框２２，３２、下框２３，３３及び左右の縦框２４，２５，３４，３５を装着することによって構成したものである。本実施の形態１では、左右の縦框２４，２５，３４，３５の間に上框２２，３２及び下框２３，３３を配設するようにした障子２０，３０を示している。上框２２，３２、下框２３，３３及び縦框２５，３４，３５は、それぞれアルミニウムやアルミニウム合金によって成形した押し出し形材からなる金属框部分２２Ａ，２３Ａ，２５Ａ，３２Ａ，３３Ａ，３４Ａ，３５Ａと、樹脂によって成形した押し出し形材からなる樹脂框部分２２Ｂ，２３Ｂ，２５Ｂ，３２Ｂ，３３Ｂ，３４Ｂ，３５Ｂとを有したものである。これら金属框部分２２Ａ，２３Ａ，２５Ａ，３２Ａ，３３Ａ，３４Ａ，３５Ａ及び樹脂框部分２２Ｂ，２３Ｂ，２５Ｂ，３２Ｂ，３３Ｂ，３４Ｂ，３５Ｂは、見込み方向に並設した状態で互いに係合し、金属框部分２２Ａ，２３Ａ，２５Ａ，３２Ａ，３３Ａ，３４Ａ，３５Ａを室外側に配置して障子２０，３０の框を構成している。これらの障子２０，３０は、互いに一方の縦框２４，３５を重ね合わせた状態で左右に並設した場合に開口枠１０を閉じることのできる大きさに形成してある。尚、図３からも明らかなように、室外側に配設した障子（以下、区別する場合に「外障子２０」という）において室内側に配設した障子（以下、区別する場合に「内障子３０」という）の縦框３５と重なる縦框２４については、アルミニウムやアルミニウム合金によって成形した押し出し形材のみから構成してある。
【００２５】
それぞれの障子２０，３０において上枠１１の見込み面に対向する部位及び下枠１２の見込み面に対向する部位には、収容溝が形成してある。上枠１１の見込み面に対向する部位に形成した障子２０，３０の収容溝（以下、「上方収容溝２０ＵＭ，３０ＵＭ」という）は、上枠１１の上方レール部１１ａをスライド可能に収容するためのもので、上框２２，３２の上面から左右の縦框２４，２５，３４，３５の上面にわたって形成してある。下枠１２の見込み面に対向する部位に形成した障子２０，３０の収容溝（以下、「下方収容溝２０ＬＭ，３０ＬＭ」という）は、下枠１２の下方レール部１２ａをスライド可能に収容するためのもので、下框２３，３３の下面から左右の縦框２４，２５，３４，３５の下面にわたって形成してある。
【００２６】
下框２３，３３に形成した下方収容溝２０ＬＭ，３０ＬＭには、その両端となる部位に戸車２６，３６が配設してあるとともに、下框２３，３３の全長にわたる部位に加熱膨張材２７，２８，３７，３８が配設してある。戸車２６，３６は、障子２０，３０の見込み方向に沿った軸を中心として回転可能に配設したもので、外周面に形成した凹部を介して下方レール部１２ａの上縁部に転動可能に当接してある。加熱膨張材２７，２８，３７，３８は、膨張黒鉛等、高温状態となった場合に膨張するもので、長尺の帯状に構成してある。本実施の形態１では、下方収容溝（溝）２０ＬＭ，３０ＬＭにおいて下方レール部１２ａよりも室外側となる下框２３，３３の内壁面、及び下方収容溝２０ＬＭ，３０ＬＭにおいて下方レール部１２ａよりも室内側となる下框２３，３３の内壁面（見付け面）にそれぞれ接着剤により加熱膨張材２７，２８，３７，３８を貼り付けるようにしている。
【００２７】
図２に示すように、下框２３，３３の室外側に貼り付けた加熱膨張材（以下、「外方下框膨張材２７，３７」という）は、下框２３，３３の室内側に貼り付けた加熱膨張材（以下、「内方下框膨張材２８，３８」という）よりも上下の幅が大きく構成してあり、下方レール部１２ａの上端よりも上方において戸車２６，３６の端面にのみ対向する高さ位置に配設してある。これに対して内方下框膨張材２８，３８は、戸車２６，３６と下方レール部１２ａとの当接部に対向するように外方下框膨張材２７，３７よりも低い位置に配設してあり、戸車２６，３６の端面及び下方レール部１２ａの双方に対向している。図からも明らかなように、外方下框膨張材２７，３７及び内方下框膨張材２８，３８は、いずれも下框２３，３３の下方収容溝２０ＬＭ，３０ＬＭを介して外部に露出した状態にある。
【００２８】
図４−１に代表して示すように、左右の縦框２４，２５，３４，３５には、それぞれの下端面にキャップ部材４０が装着してある。キャップ部材４０は、縦框２４，２５，３４，３５の小口端面を覆うように装着するもので、その下面にレール摺動溝４１を有している。レール摺動溝４１は、下方収容溝２０ＬＭ，３０ＬＭよりも幅の狭い溝であり、下方レール部１２ａを摺動可能に収容している。図４−２に示すように、縦框２４，２５，３４，３５においてキャップ部材４０に対向する内壁面には、加熱膨張材（以下、「縦框膨張材４２」という）が配設してある。縦框膨張材４２は、下框２３，３３に配設したものと同様、加熱した場合に膨張するもので、帯状に構成したものが接着剤により縦框２４，２５，３４，３５に貼り付けてある。縦框膨張材４２は、キャップ部材４０を装着した場合、図４−１に示すように、キャップ部材４０によって覆われた状態となり、外部から直接視認することができない。つまり、縦框膨張材４２は、縦框２４，２５，３４，３５及びキャップ部材４０によって囲まれた空間に配設された状態にあり、外部に露出していない。
【００２９】
一方、下枠１２には、図５及び図６に示すように、外障子２０に対応して設けた下方レール部１２ａよりも室外側となる部位の上面に加熱膨張材（以下、「下枠膨張材５０」という）が配設してある。下枠膨張材５０は、下框２３，３３に配設したものと同様、加熱した場合に膨張するもので、帯状に構成したものが接着剤により下枠１２の上面に貼り付けてあるとともに、下枠１２に取り付けるカバー部材１５とともに下枠１２にネジ止めしてある。カバー部材１５は、下枠１２に設けた排水弁１６を覆うように設けられるもので、下枠１２の全長にわたる部位に配設してある。下枠膨張材５０を設ける位置は、図５及び図６に示すように、外障子２０の戸先に位置する縦框２５の下端面を覆う部位であって、金属框部分２５Ａに対向する部分のみである。下枠膨張材５０の一方の端部は、縦框２５の見込み面（戸先面）を超えて縦枠１４の見込み面に近接する位置まで延在するように配置してある。
【００３０】
上記のように構成した建具では、２枚の障子２０，３０によって開口枠１０が閉じられた状態において室外側で火災が発生した場合、下框２３，３３に配設した外方下框膨張材２７，３７及び内方下框膨張材２８，３８がそれぞれ高温状態となって膨張することになり、初期の段階においても下枠１２と下框２３，３３との間の隙間に充填されることになる。これに対して縦框２４，２５，３４，３５の内壁面に配設した縦框膨張材４２については、外部に露出した状態にないため、下框２３，３３に配設した加熱膨張材２７，２８，３７，３８よりも膨張するまでに時間が遅れる場合がある。
【００３１】
しかしながら、上述の建具によれば、下枠１２において外障子２０の戸先に位置する縦框２５の下端面を覆う部位に下枠膨張材５０を設けるようにしている。従って、縦框２５に設けた縦框膨張材４２の膨張が遅延したとしても、外方下框膨張材２７，３７及び内方下框膨張材２８，３８とほぼ同じタイミングで下枠膨張材５０が膨張することになり、膨張した下枠膨張材５０によって下枠１２と縦框２５との間の隙間に充填されることになる。この下枠膨張材５０が膨張するのは、縦枠２５の金属框部分２５Ａに対向する部分であるため、仮に樹脂框部分２５Ｂが溶融したり、焼失したとしても下枠１２の金属枠部分１２Ａとの間が確実に埋められることになる。さらに、縦框２５の戸先面を超えて縦枠１４の見込み面に近接する位置まで延在した下枠膨張材５０は、上方に向けて膨張し、縦框２５と縦枠１４との間の隙間の下方部にも充填されるようになる。
【００３２】
外障子２０のもう一方の縦框２４については、室内側に位置する部位に内障子３０の縦框３５が重なった状態で配置されるため、また、内障子３０の戸先に位置する縦框３４については、室外で発生した火災の火炎から離隔した位置に配置されるため、いずれも下枠１２に加熱膨張材を設けずとも変形を来すおそれがない。これらの結果、上述の建具によれば、火災発生時に高温状態となった場合に初期段階においても、下枠１２に対する外障子２０の変形を防止し、外障子２０の変形に起因して火炎が貫通する事態を招来するおそれがない。
【００３３】
尚、上述した実施の形態１では、建具として引き違い窓を例示しているが、開き窓等、障子を備えたその他の建具にも適用することが可能である。また、必ずしも障子２０，３０を備えた建具に限らず、障子としてドアパネルを備えた引き戸にも同様に適用することが可能である。さらに、下枠膨張材５０を下枠１２にネジ止めするようにしているが、必ずしもネジ止めする必要はなく、接着剤のみによって貼り付けるようにしても良い。
【００３４】
（実施の形態２）
図７及び図８は、本発明の実施の形態２である建具を示したものである。ここで例示する建具は、家屋の玄関ドアとして用いられるもので、開口枠１１０及びドア（障子）１２０を備えている。開口枠１１０は、上枠１１１、下枠１１２及び左右一対の縦枠１１３，１１４を四周枠組みすることによって構成した矩形状を成すものである。上枠１１１、下枠１１２及び左右の縦枠１１３，１１４は、アルミニウムやアルミニウム合金によって成形した押し出し形材であり、それぞれが全長に渡ってほぼ一様な断面形状を有するように構成してある。ドア１２０は、矩形状を成すドアパネル１２１の四周に上框１２２、下框１２３及び左右一対の縦框１２４，１２５を装着することによって構成したもので、開口枠１１０を閉じることのできる大きさに構成してある。上框１２２、下框１２３及び縦框１２４，１２５は、アルミニウムやアルミニウム合金によって成形した押し出し形材であり、それぞれが全長に渡ってほぼ一様な断面形状を有するように構成してある。本実施の形態２では、左右の縦框１２４，１２５の間に上框１２２及び下框１２３を配設するようにしたドア１２０を示している。
【００３５】
このドア１２０は、開口枠１１０の一方の縦枠１１４と吊り元側の縁部との間の複数箇所にヒンジ１３０を介在させることにより、上下方向に沿ったヒンジ１３０軸を中心として回転可能となる状態で開口枠１１０に支持させてある。この建具では、ドア１２０を室外側に押し開けば、開口枠１１０が開放されることになる。尚、図には明示していないが、ドア１２０の戸先に位置する縦框１２４と、開口枠１１０の縦枠１１３との間には、ドアラッチが設けてあり、ドア１２０を閉じた状態に維持することが可能である。
【００３６】
ドア１２０には、左右の縦框１２４，１２５の下端部にキャップ部材１４０が装着してあるとともに、下枠１１２の見込み面に対向する部位に加熱膨張材（以下、「下框膨張材１２６」という）が配設してある。キャップ部材１４０は、縦框１２４，１２５の小口端面を覆うように装着したものである。下框膨張材１２６は、膨張黒鉛等、高温状態となった場合に膨張するもので、長尺の帯状に構成してある。本実施の形態２では、下框１２３の下面（見込み面）全長にわたる部位に接着剤により下框膨張材１２６を貼り付けるようにしている。左右の縦框１２４，１２５のキャップ部材１４０に下框膨張材１２６を配設していないのは、樹脂に対する下框膨張材１２６の接着性が下框１２３に対して劣るためである。
【００３７】
一方、下枠１１２の上面には、縦框１２４の下端面を覆う部位に加熱膨張材（以下、「下枠膨張材１５０」という）が配設してある。下枠膨張材１５０は、下框１２３に配設したものと同様、加熱した場合に膨張するもので、帯状に構成したものが接着剤により下枠１１２の上面に貼り付けてある。下枠膨張材１５０を設ける位置は、ドア１２０の戸先に位置する縦框１２４の下端面を覆う部位のみである。下枠膨張材１５０の一方の端部は、縦框１２４の見込み面（戸先面）を超えて縦枠１１３の見込み面に近接する位置まで延在するように配置してある。
【００３８】
上記のように構成した建具では、ドア１２０によって開口枠１１０が閉じられた状態において室外側で火災が発生した場合、下框１２３に配設した下框膨張材１２６が高温状態となって膨張することになり、下枠１１２と下框１２３との間の隙間に充填されることになる。これと同時に、下枠１１２において戸先に位置する縦框１２４の下端面に対向する部位に貼り付けた下枠膨張材１５０が膨張することになり、下枠１１２と縦框１２４との間の隙間に充填されることになる。さらに、縦框１２４の戸先面を超えて縦枠１１３の見込み面に近接する位置まで延在した下枠膨張材１５０は、上方に向けて膨張し、縦框１２４と縦枠１１３との間の隙間の下方部にも充填されるようになる。
【００３９】
ドア１２０の吊元側に位置するもう一方の縦框１２５については、縦枠１１４との間の複数箇所においてヒンジ１３０が介在してあるため、下枠１１２との間に加熱膨張材を充填することなく変形が抑えられた状態にある。従って、上述の建具によれば、火災発生時に高温状態となった場合に初期段階においても、下枠１１２に対するドア１２０の変形を防止し、ドア１２０の変形に起因して火炎が貫通する事態を招来するおそれがない。
【００４０】
尚、上述した実施の形態２では、建具としてヒンジ１３０を介してドア１２０を開口枠１１０に支持させたドアを例示しているが、障子として障子を備えた開き窓にも同様に適用することが可能である。また、下枠１１２において吊元側に位置する縦框１２５に対向する部位に下枠膨張材１５０と同様の加熱膨張材を設けてももちろん良い。
【符号の説明】
【００４１】
１０  開口枠、１２  下枠、１３，１４  縦枠、２０  障子、２０ＬＭ，３０ＬＭ  溝、２３  下框、２４，２５  縦框、２５Ａ  金属框部分、２５Ｂ  樹脂框部分、２７，２８  加熱膨張材、４０  キャップ部材、５０  下枠膨張材、１１０  開口枠、１１２  下枠、１１３，１１４  縦枠、１２０  ドア、１２３  下框、１２４，１２５  縦框、１２６  下框膨張材、１４０  キャップ部材、１５０  下枠膨張材
【図１】
2016108835.tif 000003
【図２】
2016108835.tif 000004
【図３】
2016108835.tif 000005
【図４−１】
2016108835.tif 000006
【図４−２】
2016108835.tif 000007
【図５】
2016108835.tif 000008
【図６】
2016108835.tif 000009
【図７】
2016108835.tif 000010
【図８】
2016108835.tif 000011